(57)【要約】【課題】  部品や、製品のオプションなどの選択を簡単化することができる選択装置および選択方法を提供する。【解決手段】  情報表示用の表示部２と、指定対象品の属性と画像とを記憶する第１記憶部と、指定対象品の属性を記入するための一覧表を記憶する第２記憶部と、選択された指定対象品を記憶する第３記憶部と、指定対象品と決定ボタンと一覧表とを表示部２の画面に表示する処理と、指定対象品が選択されると、選択された指定対象品またはその周囲にマークを付けると共に、この指定対象品を第３記憶部に記憶する処理と、決定ボタンが操作されると、第３記憶部に記憶されている指定対象品の属性を第１記憶部から読み出して、第２記憶部に記憶されている一覧表に書き込んで、この一覧表を更新すると共に、この一覧表を出力する処理とを行う制御部３とを備える。【選択図】  図１
2005141619.tif 000002
【特許請求の範囲】
【請求項１】
情報表示用の表示部（２）と、
指定対象品の属性と画像とを記憶する第１記憶部と、
指定対象品の属性を記入するための一覧表を記憶する第２記憶部と、
選択された指定対象品を記憶する第３記憶部と、
指定対象品と決定ボタンと一覧表とを前記表示部（２）の画面に表示する処理と、指定対象品が選択されると、選択された指定対象品またはその周囲にマークを付けると共に、この指定対象品を前記第３記憶部に記憶する処理と、決定ボタンが操作されると、前記第３記憶部に記憶されている指定対象品の属性を第１記憶部から読み出して、前記第２記憶部に記憶されている一覧表に書き込んで、この一覧表を更新すると共に、この一覧表を出力する処理とを行う制御部（３）とを備えることを特徴とする選択装置。
【請求項２】
インターネットに接続するための通信部（６）と、
通信先のアドレスを記憶する第４記憶部とを備え、
前記制御部（３）は、決定ボタン操作により一覧表を作成すると、前記通信部（６）を制御して前記第４記憶部に記憶されているアドレスに、作成した一覧表を送信することを特徴とする請求項１に記載の選択装置。
【請求項３】
情報表示用の表示部（１２）と、
指定対象品の属性と画像とを記憶する第１記憶部と、
指定対象品の属性を記入するための一覧表を記憶する第２記憶部と、
指定対象品と一覧表とを前記表示部（１２）の画面に表示する処理と、指定対象品が選択されると、選択された指定対象品またはその周囲にマークを付け、この指定対象品の属性情報を前記第１記憶部から読み出して前記第２記憶部の一覧表に書き込んで、この一覧表を更新する処理とを行う制御部（１３）とを備えることを特徴とする選択装置。
【請求項４】
指定対象品の属性および画像と、指定対象品の属性を記入するための一覧表とをあらかじめ記憶し、
指定対象品の画像と一覧表とを表示し、
指定対象品が選択されると、選択された指定対象品またはその周囲にマークを付けると共に、選択された指定対象品を記憶し、
指定対象品の選択が終了すると、記憶している指定対象品に対応する属性を読み出して、前記一覧表に書き込んで、この一覧表を更新すると共に、この一覧表を出力することを特徴とする選択方法。
【請求項５】
前記一覧表の作成を終了すると、あらかじめ記憶しているアドレスに、作成した一覧表を送信することを特徴とする請求項４に記載の選択方法。
【請求項６】
指定対象品の属性および画像と、指定対象品の属性を記入するための一覧表とをあらかじめ記憶し、
前記画像および一覧表を表示し、
指定対象品が選択されると、選択された指定対象品またはその周囲にマークを付けると共に、この指定対象品の属性情報を読み出して、前記一覧表に書き込んで、この一覧表を更新することを特徴とする選択方法。
【発明の詳細な説明】
【技術分野】
【０００１】
この発明は、コンピュータを用いて、部品や、製品のオプションを選択する選択装置および選択方法に関する。
【背景技術】
【０００２】
コンピュータを用いた、部品などを注文するためのシステムには、各種のものがある。たとえば、コンピュータの画面に、商品とショッピングバスケットとを表示し、商品をマウス等によって選択する。そして、ポインタを商品上に置いたときに、このシステムは商品の情報を示すと共に、商品イメージのカラーの色合いや明るさ等を変えて、商品の選択や在庫の有無などを表示する。
【０００３】
この後、操作者が選択した商品をショッピングバスケットに入れると、発注が可能になる。こうしたシステムが特許文献１に記載されている。
【特許文献１】特開２００２−１０９４１３
【発明の開示】
【発明が解決しようとする課題】
【０００４】
ところで、先に述べたシステムには、次のような問題点がある。つまり、コンピュータに不慣れな人には、画面表示の理解が難しく、また、商品選択のための操作が困難である。たとえば、前記のシステムでは、ポインタを商品上に置いたときに、商品の情報を示すと共に、商品イメージのカラーの色合いや明るさ等を変えて、在庫の有無などを表示している。このために、コンピュータに不慣れな人は、商品イメージのカラーが変わったときに、このカラーの変化によって、この商品を選択したのか、また、この商品の在庫が無いのかなどの判断に迷うことがある。
【０００５】
この発明は、前記の課題を解決し、部品や、製品のオプションなどの選択を簡単化することができる選択装置および選択方法を提供することにある。
【課題を解決するための手段】
【０００６】
前記課題を解決するために、請求項１の発明は、情報表示用の表示部と、指定対象品の属性と画像とを記憶する第１記憶部と、指定対象品の属性を記入するための一覧表を記憶する第２記憶部と、選択された指定対象品を記憶する第３記憶部と、指定対象品と決定ボタンと一覧表とを前記表示部の画面に表示する処理と、指定対象品が選択されると、選択された指定対象品またはその周囲にマークを付けると共に、この指定対象品を前記第３記憶部に記憶する処理と、決定ボタンが操作されると、前記第３記憶部に記憶されている指定対象品の属性を第１記憶部から読み出して、前記第２記憶部に記憶されている一覧表に書き込んで、この一覧表を更新すると共に、この一覧表を出力する処理とを行う制御部とを備えることを特徴とする選択装置である。
請求項２の発明は、請求項１に記載の選択装置において、インターネットに接続するための通信部と、通信先のアドレスを記憶する第４記憶部とを備え、前記制御部は、決定ボタン操作により一覧表を作成すると、前記通信部を制御して前記第４記憶部に記憶されているアドレスに、作成した一覧表を送信することを特徴とする。
請求項３の発明は、情報表示用の表示部と、指定対象品の属性と画像とを記憶する第１記憶部と、指定対象品の属性を記入するための一覧表を記憶する第２記憶部と、指定対象品と一覧表とを前記表示部の画面に表示する処理と、指定対象品が選択されると、選択された指定対象品またはその周囲にマークを付け、この指定対象品の属性情報を前記第１記憶部から読み出して前記第２記憶部の一覧表に書き込んで、この一覧表を更新する処理とを行う制御部とを備えることを特徴とする選択装置である。
請求項４の発明は、指定対象品の属性および画像と、指定対象品の属性を記入するための一覧表とをあらかじめ記憶し、指定対象品の画像と一覧表とを表示し、指定対象品が選択されると、選択された指定対象品またはその周囲にマークを付けると共に、選択された指定対象品を記憶し、指定対象品の選択が終了すると、記憶している指定対象品に対応する属性を読み出して、前記一覧表に書き込んで、この一覧表を更新すると共に、この一覧表を出力することを特徴とする選択方法である。
請求項５の発明は、請求項４に記載の選択方法において、前記一覧表の作成を終了すると、あらかじめ記憶しているアドレスに、作成した一覧表を送信することを特徴とする。
請求項６の発明は、指定対象品の属性および画像と、指定対象品の属性を記入するための一覧表とをあらかじめ記憶し、前記画像および一覧表を表示し、指定対象品が選択されると、選択された指定対象品またはその周囲にマークを付けると共に、この指定対象品の属性情報を読み出して、前記一覧表に書き込んで、この一覧表を更新することを特徴とする選択方法である。
【発明の効果】
【０００７】
この発明によれば、指定対象品が選択されると、選択された指定対象品またはその周囲にマークを付け、また、選択された指定対象品の属性を表示欄に表示するので、指定対象品の選択を簡単化することができる。
【発明を実施するための最良の形態】
【０００８】
つぎに、この発明の実施形態について説明する。
［実施形態１］
この実施形態による選択装置を図１に示す。この選択装置は、指定対象品としての部品を発注する際に用いられる部品発注ツールである。この選択装置は、入力部１と、表示部２と、制御部３と、記憶部４と、出力部としてプリンタ５とを備えている。
【０００９】
入力部１は、キーボードやマウスなどの装置である。表示部２は、部品のイメージや、部品名称等の文字などの情報を表示するためのディスプレイである。プリンタ５は、作成した注文票などを印刷して出力する。
【００１０】
記憶部４は、３つの記憶領域を備えている。第１の記憶領域は、第１記憶部であり、後述するキー番号に対応して、部品番号、部品名称、および単価を、部品の属性として記憶している。また、第１の記憶領域は、部品の組み合わせで形成されるユニットの全体のイメージや、各部品のイメージを記憶している。第２の記憶領域は、第２記憶部であり、注文する部品を記入するための注文票を記憶している。第３の記憶領域は、第３記憶部であり、作業者によって選択された部品を記憶する。
【００１１】
制御部３は、部品発注のために、図２に示す処理をする。制御部３は、処理を開始すると、表示部２の画面にユニットの注文情報を表示する（ステップＳ１）。この実施形態では、注文情報が３ページで形成され、図３の表示が１ページ目である。１ページ目には、部品によって形成されるユニットのイメージを表示する。なお、この実施形態では、ボルトとナットによって形成される止め具をユニットの例としている。
【００１２】
２ページ目には、図４に示すように、ユニットを構成する各部品のイメージＡ（図３）として、ボルトのイメージＡ１、ワッシャーのイメージＡ２、ナットのイメージＡ３を表示し、各イメージに対応して「キー番号」を表示する。図４の画面２Ａでは、ボルトのイメージＡ１に「キー番号」の「１」が付けられ、ワッシャーのイメージＡ２に「キー番号」の「２」が付けられ、ナットのイメージＡ３に「キー番号」の「３」が付けられている。
【００１３】
また、画面２Ａの２ページ目には、表示欄２０１と注文ボタン２０２とを表示する。表示欄２０１は、「キー番号」、「部品番号」、「部品名」、「個数」、および「単価」の欄によって構成されている。さらに、３ページ目には、図５に示すように、注文票２１０を表示する。注文票は、「キー番号」、「部品番号」、「部品名」、「個数」、「単価」、「小計」、および「合計」の欄を備えている。
【００１４】
ステップＳ１の後、制御部３は、入力部１の操作による部品選択の有無を検出する（ステップＳ２）。ここで、作業者が入力部１のマウスを操作し、ポインタ１Ａ（図４）によって２ページ目の例えばボルトＡ１を選択する。部品としてボルトＡ１が選択されると、制御部３は、選択された部品の「キー番号」を記憶部４の第３の記憶領域に記憶する（ステップＳ３）。
【００１５】
同時に、制御部３は、記憶部４の第１の記憶領域に記憶されている部品の属性、つまり、ボルトＡ１の属性から、「キー番号」の「１」に対応する部品番号、部品名、個数、および単価を読み出して、画面２Ａの表示欄２０１の対応する欄にそれぞれ記入する（ステップＳ４）。これによって、選択された部品の詳しい確認と、個数の確認とができる。また、制御部３は、画面２Ａの「キー番号」の「１」上にチェックマーク２０３を表示する（ステップＳ５）。チェックマーク２０３によって、部品としてボルトが選択されたことが目視可能になる。
【００１６】
ステップＳ５の後、制御部３は、注文ボタン２０２の操作の有無を検出する（ステップＳ６）。注文ボタン２０２が操作されていなければ、制御部３は処理をステップＳ２に戻す。ステップＳ６で注文ボタン２０２が操作されていると、制御部３は、記憶部４の第３の記憶領域に記憶されている、部品の「キー番号」を参照し、この「キー番号」に対応する部品の属性を第１の記憶領域から読み出し、小計や合計を計算し、第２の記憶領域に記憶している注文票の該当する欄にそれぞれ書き込み、注文票を作成する（ステップＳ７）。同時に、制御部３は、ステップＳ７で作成した注文票を画面２Ａの３ページ目（図５）に表示する。ステップＳ７の後、制御部３は、第３の記憶領域に記憶されている注文票をプリンタ５によって印刷する（ステップＳ８）。
【００１７】
こうして、この実施形態によって、部品のイメージの表示と共に、選択された部品の属性を表示する表示欄２０１を表示し、かつ、選択された部品のイメージに対応するキー番号にチェックマーク２０３を表示するので、部品の選択を簡単化することができる。かつ、注文票をプリンタで印刷するので、作業者は、電話回線を利用したファクシミリにより、部品を注文することができる。つまり、部品の発注に際して印刷された注文表を用いるので、ネットワークを用いて注文する場合に比べると、ネットワークの断などの影響を受けることがなく、部品の確実な注文が可能になる。
【００１８】
［実施形態２］
この実施形態による選択装置を図６に示す。なお、図６では、先に説明した図１と同一もしくは同一と見なされる構成要素には、それと同じ参照符号を付けて説明を省略する。この実施形態では、実施形態１で作成した注文票を、通信網を用いて相手側に送信する。このために、この実施形態では、実施形態１の選択装置に対して通信部６を設けている。通信部６は、制御部３をネットワークＮＷに接続するためのインタフェースである。
【００１９】
制御部３は、ステップＳ７で注文票を作成した後、作業者の指示によって、通信部６を制御し、ネットワークＮＷに通信可能な状態にする。一方、記憶部４には、相手側のアドレスを記憶する第４の記憶領域が設けられている。そして、制御部３は、この第４の記憶領域から相手側のアドレスを読み出し、通信部６を経由して、作成した注文情報を送信する。
【００２０】
この実施形態によれば、作成した注文情報を相手側にネットワークＮＷ経由で送るので、自動による部品の注文が可能になる。
【００２１】
［実施形態３］
この実施形態による選択装置は、指定対象品としてカメラのオプション製品を発注する際に用いられる製品組み合わせツールである。この実施形態による選択装置を図７に示す。この選択装置は、入力部１１と、表示部１２と、制御部１３と、記憶部１４と、出力部としてプリンタ１５とを備えている。
【００２２】
入力部１１、表示部１２、およびプリンタ１５は、実施形態１の入力部１、表示部２、およびプリンタ５とそれぞれ同じであるので、これらの説明を省略する。
【００２３】
記憶部１４は、２つの記憶領域を備えている。第１の記憶領域は、第１記憶部であり、キー番号に対応して、製品番号、製品名、および単価を、製品の属性としてそれぞれ記憶している。また、第１の記憶領域は、各製品のイメージを記憶している。第２の記憶領域は、第２記憶部であり、製品の計算表を記憶している。
【００２４】
制御部１３は、製品の計算のために、図８に示す処理をする。制御部１３は、処理を開始すると、表示部１２の画面１２Ａに製品の計算情報を表示する（ステップＳ１１）。この実施形態では、計算情報が２ページで形成され、図９の表示が１ページ目である。１ページ目には、製品本体であるカメラのイメージＢ、オプション製品である三脚のイメージＢ１、レンズのイメージＢ２、バッテリパックのイメージＢ３、およびキャリングバッグのイメージＢ４を表示する。制御部３は、各オプション製品のイメージＢ１〜Ｂ４に対応して「キー番号」を表示する。図９の画面１２Ａでは、三脚のイメージＢ１に「キー番号」の「１」を付け、レンズのイメージＢ２に「キー番号」の「２」を付け、バッテリパックのイメージＢ３に「キー番号」の「３」を付け、キャリングバッグのイメージＢ４に「キー番号」の「４」を付ける。
【００２５】
また、制御部１３は、画面１２Ａの１ページ目に表示欄２２１を表示する。表示欄２２１は、「キー番号」、「製品番号」、「製品名」、および「単価」の欄によって構成されている。
【００２６】
制御部１３は、２ページ目に、図１０に示すように、計算表２３０を表示する。計算表２３０は、「キー番号」、「製品番号」、「製品名」、「単価」、および「合計」の欄を備えている。本実施の形態では、図９の１ページ目の計算情報と、図１０の２ページ目の計算情報とを、１つの画面１２Ａ上に表示する。
【００２７】
ステップＳ１１の後、制御部１３は、入力部１１の操作による製品選択の有無を検出する（ステップＳ１２）。ここで、作業者が入力部１１のマウスを操作し、ポインタ１１Ａによって１ページ目の例えばレンズのイメージＢ２を選択する。製品としてレンズのイメージＢ２が選択されると、制御部１３は、記憶部１４の第１の記憶領域に記憶されている製品の属性、つまり、レンズの属性から、「キー番号」の「２」に対応する製品番号、製品名、および単価を読み出して、記憶部１４の第２の記憶領域に記憶されている計算表の対応する欄にそれぞれ記入する（ステップＳ１３）。
【００２８】
また、制御部１３は、読み出した属性を、画面１２Ａの表示欄２２１の対応する欄にそれぞれ記入する（ステップＳ１４）。これによって、選択された製品の詳しい確認ができる。さらに、制御部１３は、画面１２Ａの「キー番号」の「２」の製品上にチェックマーク２２２を表示する（ステップＳ１５）。チェックマーク２２２によって、製品としてレンズが選択されたことが目視可能になる。
【００２９】
ステップＳ１５の後、制御部１３は、マウスによる製品選択の有無を検出する（ステップＳ１６）。製品の選択がなければ、制御部１３は処理を終了する。
【００３０】
こうして、この実施形態によって、製品のイメージの表示と共に、選択された製品の属性を表示する表示欄２２１を表示し、かつ、選択された製品のイメージにチェックマーク２２２を表示するので、製品の選択を簡単化することができる。また、製品の選択が入力部１１のマウスのクリックだけで行えるので、簡単な操作を可能にする。かつ、カメラのオプション製品のイメージ（図９）と、計算表２３０（図１０）とを１つの画面１２Ａ上に表示するので、計算表２３０の選択された部品がどのオプション製品に該当するかの確認を、目視可能にすることができる。
【００３１】
以上、この発明の実施形態を詳述してきたが、具体的な構成はこの実施形態に限られるものではなく、この発明の要旨を逸脱しない範囲の設計の変更等があっても、この発明に含まれる。たとえば、この実施形態では、チェックマークを「キー番号」や製品上に表示したが、部品や製品の周囲に表示してもよい。
【００３２】
また、実施形態３では、実施形態２と同じように、ステップＳ１６の後でネットワークを経由して、計算表に記入された製品を注文するようにしてもよい。
【図面の簡単な説明】
【００３３】
【図１】この発明の実施形態１による選択装置を示すブロック図である。
【図２】制御部の処理を示すフローチャートである。
【図３】注文情報の表示例を示す図である。
【図４】注文情報の表示例を示す図である。
【図５】注文情報の表示例を示す図である。
【図６】この発明の実施形態２による選択装置を示すブロック図である。
【図７】この発明の実施形態３による選択装置を示すブロック図である。
【図８】制御部の処理を示すフローチャートである。
【図９】計算情報の表示例を示す図である。
【図１０】計算情報の表示例を示す図である。
【符号の説明】
【００３４】
１、１１  入力部
２、１２  表示部
２Ａ、１２Ａ  画面
２０１  表示欄
２０２  注文ボタン
２０３  チェックマーク
３、１３  制御部
４、１４  記憶部
５、１５  プリンタ
６  通信部
【図１】
2005141619.tif 000003
【図２】
2005141619.tif 000004
【図３】
2005141619.tif 000005
【図４】
2005141619.tif 000006
【図５】
2005141619.tif 000007
【図６】
2005141619.tif 000008
【図７】
2005141619.tif 000009
【図８】
2005141619.tif 000010
【図９】
2005141619.tif 000011
【図１０】
2005141619.tif 000012